(57)【要約】【課題】パネルを容易に接続して区画を構成できる段ボール製間仕切りを提供する。【解決手段】段ボール製のパネル１、下部ジョイント２及び上部ジョイント３並びに支柱４から成り、前記パネル１には、上縁及び下縁に複数の切込５を入れ、両側中間部に差込片６を、上下部に折曲片７をそれぞれ形成し、前記下部ジョイント２及び上部ジョイント３には、連結板１０の両側に連設した立上片１１の先端に切込１２を入れ、前記支柱４には、巻き込みにより角柱状をなす各側板１４に縦方向のスリット１５を設け、パネル１の延長接続部では、下部ジョイント２及び上部ジョイント３が隣接するパネル１に跨るように、連結板１０から起立させた立上片１１の切込１２と、パネル１の切込５とを噛み合わせ、パネル１のコーナー接続部では、パネル１の折曲片７を折り曲げて、差込片６を支柱４のスリット１５に差し込むようにする。【選択図】図８
2006161310.tif 000002
【特許請求の範囲】
【請求項１】
段ボール製のパネル、下部ジョイント及び上部ジョイント並びに支柱から成り、前記パネルには、上縁及び下縁に複数の切込を入れ、両側中間部に差込片を、上下部に折曲片をそれぞれ形成し、前記下部ジョイント及び上部ジョイントには、連結板の両側に連設した立上片の先端に切込を入れ、前記支柱には、巻き込みにより角柱状をなす各側板に縦方向のスリットを設け、パネルの延長接続部では、下部ジョイント及び上部ジョイントが隣接するパネルに跨るように、連結板から起立させた立上片の切込と、パネルの切込とを噛み合わせ、パネルのコーナー接続部では、パネルの折曲片を折り曲げて、差込片を支柱のスリットに差し込むようにした段ボール製間仕切り。
【発明の詳細な説明】
【技術分野】
【０００１】
この発明は、災害発生時に避難場所において仮設的に使用する段ボール製間仕切りに関するものである。
【背景技術】
【０００２】
地震や台風による大規模な災害が発生したときには、家屋が損壊した住民や、電気・水道などのライフラインの供給が停止した地域の住民のため、学校の体育館や公民館等の公共施設が避難場所として使用される。ところが、このような避難場所では、大きな空間に多数の家族が集合することとなるため、プライバシーが保たれず、避難した住民はストレスを感じることが多い。
【０００３】
その対策として、下記特許文献１においては、段ボールを利用した間仕切りが提案されている。この間仕切りは、段ボール製のパネル、下部ジョイント及び上部ジョイント並びに短い角筒状のコーナー材から成り、パネルの延長接続部では、下部ジョイント及び上部ジョイントで隣接するパネルを繋ぎ、パネルのコーナー接続部では、角度をもって交わるパネルに２個のコーナー材を上下から嵌め込む構成となっている。
【０００４】
【特許文献１】特開２００３−１２９５９３号公報
【発明の開示】
【発明が解決しようとする課題】
【０００５】
しかしながら、上記のような間仕切りでは、パネルのコーナー接続部でパネルを接続する際、下方のコーナー材を嵌めるため、パネルを一旦持ち上げる必要があり、作業性がよくないという問題がある。
【０００６】
そこで、この発明は、パネルをコーナー接続部で容易に接続して、自由な区画を簡単に構成できる段ボール製間仕切りを提供することを課題とする。
【課題を解決するための手段】
【０００７】
上記課題を解決するため、この発明に係る間仕切りは、段ボール製のパネル、下部ジョイント及び上部ジョイント並びに支柱から構成し、前記パネルには、上縁及び下縁に複数の切込を入れ、両側中間部に差込片を、上下部に折曲片をそれぞれ形成し、前記下部ジョイント及び上部ジョイントには、連結板の両側に連設した立上片の先端に切込を入れ、前記支柱には、巻き込みにより角柱状をなす各側板に縦方向のスリットを設け、パネルの延長接続部では、下部ジョイント及び上部ジョイントが隣接するパネルに跨るように、連結板から起立させた立上片の切込と、パネルの切込とを噛み合わせ、パネルのコーナー接続部では、パネルの折曲片を折り曲げて、差込片を支柱のスリットに差し込むようにしたのである。
【発明の効果】
【０００８】
このような段ボール製間仕切りでは、パネルのコーナー接続部において、パネルの差込片を、支柱の周囲の各方向から側板のスリットに差し込むことができるので、パネルを持ち上げることなく、一定の角度をなすように容易に接続して、自由な区画を簡単に構成することができる。
【０００９】
また、撤去する際にも、支柱のスリットからパネルの差込片を引き抜いて容易に解体でき、避難場所を迅速に元の状態に戻すことができる。
【発明を実施するための最良の形態】
【００１０】
以下、この発明の実施形態を添付図面に基づいて説明する。
【００１１】
この間仕切りは、図１に示す段ボール製のパネル１と、図２に示す下部ジョイント２及び上部ジョイント３と、図３に示す支柱４とを所要数組み立てて、これらを適宜組み合わせることにより構成されるものである。
【００１２】
パネル１のブランクでは、図１に示すように、上縁及び下縁に各４本の切込５が間隔をおいて入れられ、両側中間部に差込片６が、その上下に罫線を基端とする折曲片７が切目を介して形成されている。折曲片７の端部と、中間の二本の切込５間の端縁には係合突起８が設けられ、差込片６より内側には取手用切込９が設けられている。
【００１３】
下部ジョイント２及び上部ジョイント３のブランクでは、図２に示すように、連結板１０の両側に罫線を介して立上片１１が連設され、使用時の安定性を考慮して、下部ジョイント２は、上部ジョイント３よりも幅が広くなっている。立上片１１の先端には切込１２が入れられ、連結板１０には横方向のスリット１３が設けられている。
【００１４】
支柱４のブランクでは、図３に示すように、４枚の側板１４が並べて連設され、各側板１４には、それぞれ縦方向のスリット１５が設けられている。また、組立時に対向する側板１４の上下端には折曲片１６が連設され、その先端一側部は切り欠かれている。
【００１５】
支柱４の両端の側板１４には、差込片１７及び継代１８がそれぞれ連設され、継代１８の基端中央部にはスリット１９が設けられている。差込片１７の上方及び下方には、先広がりの係止片２０が設けられ、継代１８に臨む部分には、係止片２０の先端よりも幅が狭い係止穴２１が形成されている。
【００１６】
いま、上記のような部材から成る間仕切りを使用して、体育館等の避難場所を区画する際には、パネル１を同一面で延長して接続する延長接続部において、図４に示すように、下部ジョイント２及び上部ジョイント３が隣接するパネル１に跨るように、連結板１０から起立させた立上片１１の切込１２と、パネル１の切込５とを噛み合わせる。
【００１７】
このとき、折曲片７の上下端の係合突起８を連結板１０のスリット１３に差し込むと、折曲片７の揺動が阻止されると共に、パネル１と下部ジョイント２及び上部ジョイント３とが堅固に固定される。
【００１８】
また、下部ジョイント２は、パネル１の延長接続部に加えて、パネル１の中間部を支持するためにも使用し、この部分では、下部ジョイント２の各立上片１１の切込１２を、パネル１の中間部の２本の切込５に噛み合わせ、連結板１０のスリット１３にパネル１の中間部の係合突起８を差し込むようにする。
【００１９】
一方、支柱４は、図５に示すように、４枚の側板１４を四角筒状に巻き込んで、継代１８を反対側の側板１４の裏面に重ね、差込片１７をスリット１９に差し込むと共に、係止片２０を係止穴２１に押し込み、対向する折曲片１６同士を噛み合わせて、形状が維持されるように組み立てる。
【００２０】
そして、パネル１をコーナー部分で接続するため、図６に示すように、パネル１の両側上下部の折曲片７を折り曲げて、突出した差込片６を支柱４のスリット１５に差し込む。このとき、差込片６の両端基部の括れと、スリット１５の両端部が係合して、差込片６がスリット１５から抜け止めされる。
【００２１】
このような段ボール製間仕切りでは、パネル１のコーナー接続部において、図７に示すように、パネル１の差込片６を、支柱４の周囲の四方向から側板１４のスリット１５に差し込むことができるので、パネル１を持ち上げることなく、９０°ごとの角度をなすように容易に接続して、図８に示すように、自由な区画を簡単に構成することができる。
【００２２】
また、撤去する際にも、支柱４のスリット１５からパネル１の差込片６を引き抜いて容易に解体でき、避難場所を迅速に元の状態に戻すことができるほか、解体後の各部材は、一般の段ボール箱と同様に容易に処分することができる。
【００２３】
なお、支柱４は、四角柱状以外に、三角柱状などとしてもよく、この場合、ハニカム構造のような区画を構成することができる。
【図面の簡単な説明】
【００２４】
【図１】この発明に係る段ボール製間仕切りのパネルのブランクを示す図
【図２】同上の下部ジョイント及び上部ジョイントのブランクを示す図
【図３】同上の支柱のブランクを示す図
【図４】同上のパネルの延長接続部を示す斜視図
【図５】同上の支柱の組立状態を示す斜視図
【図６】同上のパネルのコーナー接続部の接続状態を示す斜視図
【図７】同上の４枚のパネルを接続した状態を示す横断平面図
【図８】同上の間仕切りによる区画構成例を示す斜視図
【符号の説明】
【００２５】
１  パネル
２  下部ジョイント
３  上部ジョイント
４  支柱
５  切込
６  差込片
７  折曲片
８  係合突起
９  取手用切込
１０  連結板
１１  立上片
１２  切込
１３  スリット
１４  側板
１５  スリット
１６  折曲片
１７  差込片
１８  継代
１９  スリット
２０  係止片
２１  係止穴
【図１】
2006161310.tif 000003
【図２】
2006161310.tif 000004
【図３】
2006161310.tif 000005
【図４】
2006161310.tif 000006
【図５】
2006161310.tif 000007
【図６】
2006161310.tif 000008
【図７】
2006161310.tif 000009
【図８】
2006161310.tif 000010